(57)【要約】【課題】上階の振動の下階への伝播を大幅に防止可能で安定感ある二重床構造を提供する。【解決手段】各床パネル１の下面の四隅部から床スラブ２上に載置させる支持脚３をそれぞれ垂設する。各支持脚３を傾斜状下面４ａを有した上脚部４と傾斜状上面５ａを有した下脚部５とで構成する。対向させた上脚部４の傾斜状下面４ａと下脚部５の傾斜状上面５ａとを弾性材６で連結する。少なくとも上記傾斜状下面４ａの傾斜状上面５ａへの対向方向における水平成分方向ａに転動可能にされたローラ７を下脚部５の下端に設ける。各支持脚３の傾斜状下面４ａの傾斜状上面５ａへの対向方向における水平成分方向ａが、各床パネル１を中央で２分したときに一方側に位置する支持脚３ａと他方側に位置する支持脚３ｂとの間で対称の関係となるように設定する。【選択図】図１
2008169559.tif 000002
【特許請求の範囲】
【請求項１】
床スラブの上方に支持脚を介して複数の矩形状の床パネルを敷き詰めて成る二重床構造であって、各床パネルの下面の四隅部から床スラブ上に載置させる支持脚をそれぞれ垂設し、各支持脚を傾斜状下面を有した上脚部と傾斜状上面を有した下脚部とで構成し、対向させた上脚部の傾斜状下面と下脚部の傾斜状上面とを弾性材で連結すると共に、少なくとも上記傾斜状下面の傾斜状上面への対向方向における水平成分方向に転動可能にされたローラを下脚部の下端に設け、各支持脚の傾斜状下面の傾斜状上面への対向方向における水平成分方向が、各床パネルを中央で２分したときに一方側に位置する支持脚と他方側に位置する支持脚との間で対称の関係となるように設定されて成ることを特徴とする二重床構造。
【請求項２】
各床パネルの四隅の角端部にそれぞれ支持脚を設け、各支持脚の傾斜状下面の傾斜状上面への対向方向における水平成分方向が、各床パネルを中央で２分したときに一方側に位置する支持脚と他方側に位置する支持脚との間で対向するように設定されて成ることを特徴とする請求項１記載の二重床構造。
【請求項３】
床スラブ上に載設したレール材に、支持脚の下脚部が、上方に抜け止めされた状態で且つローラを介して転動可能に収納されて成ることを特徴とする請求項１または２記載の二重床構造。
【発明の詳細な説明】
【技術分野】
【０００１】
本発明は、二重床構造に関するものである。
【背景技術】
【０００２】
従来から、二重床は、図５のように、床スラブ２の上に立設した支持脚３に床下地材等の床構成材１´を載置して構成されている。そして、支持脚３にはしばしば、床構成材１´の上を人が歩いたりする等による床構成材１´の振動を吸収するために、弾性材６´が内装されている（たとえば特許文献１参照）。
【０００３】
しかしながら、上記弾性材６´では床構成材１´から支持脚３にかかる床構成材１´の振動による衝撃的な垂直荷重のいくらかを吸収することはできるが、弾性材６´で吸収しきれなかった上記振動は床スラブ２にまで衝撃的な垂直荷重として至ってしまうのであり、上階の振動が下階に伝播されてしまうことを充分に防止できるものではなかった。
【特許文献１】特開平８−１９９７８１号公報
【発明の開示】
【発明が解決しようとする課題】
【０００４】
本発明は上記の点に鑑みてなされたものであり、その目的とするところは、上階の振動の下階への伝播を大幅に防止可能で安定感ある二重床構造を提供することを課題とするものである。
【課題を解決するための手段】
【０００５】
上記課題を解決するために請求項１に係る二重床構造にあっては、床スラブ２の上方に支持脚３を介して複数の矩形状の床パネル１を敷き詰めて成る二重床構造であって、各床パネル１の下面の四隅部から床スラブ２上に載置させる支持脚３をそれぞれ垂設し、各支持脚３を傾斜状下面４ａを有した上脚部４と傾斜状上面５ａを有した下脚部５とで構成し、対向させた上脚部４の傾斜状下面４ａと下脚部５の傾斜状上面５ａとを弾性材６で連結すると共に、少なくとも上記傾斜状下面４ａの傾斜状上面５ａへの対向方向における水平成分方向ａに転動可能にされたローラ７を下脚部５の下端に設け、各支持脚３の傾斜状下面４ａの傾斜状上面５ａへの対向方向における水平成分方向ａが、各床パネル１を中央で２分したときに一方側に位置する支持脚３ａと他方側に位置する支持脚３ｂとの間で対称の関係となるように設定されて成ることを特徴とする。
【０００６】
これによると、各支持脚３を傾斜状下面４ａを有した上脚部４と傾斜状上面５ａを有した下脚部５とで構成し、対向させた上脚部４の傾斜状下面４ａと下脚部５の傾斜状上面５ａとを弾性材６で連結すると共に、少なくとも上記傾斜状下面４ａの傾斜状上面５ａへの対向方向における水平成分方向ａに転動可能にされたローラ７を下脚部５の下端に設けてあるので、支持脚３の上脚部４に衝撃的な垂直荷重としてかかる床パネル１の振動は、対向する上脚部４の傾斜状下面４ａと下脚部５の傾斜状上面５ａとの間で、弾性材６によっていくらか吸収された上で、下脚部５に対して傾斜状下面４ａの傾斜状上面５ａへの対向方向における水平成分方向ａへの衝撃的な横荷重として伝わるのであるが、この下脚部５にかかった衝撃的な横荷重は下脚部５がローラ７によって床スラブ２上を移動することで緩衝されることとなる。つまり、床パネル１の振動は床スラブ２に到達する前に支持脚３で大幅に緩衝させることができるのであって、上階の振動が下階に伝播されることを大幅に防止できるのである。また、上記のように支持脚３の下脚部５が横方向に移動する際には、上脚部４の傾斜状下面４ａが下脚部５の傾斜状上面５ａを滑り落ちるように摺動することとなって、床パネル１が側方に位置ズレしてしまう恐れもあるが、各支持脚３の傾斜状下面４ａの傾斜状上面５ａへの対向方向における水平成分方向ａが、各床パネル１を中央で２分したときに一方側に位置する支持脚３ａと他方側に位置する支持脚３ｂとの間で対称の関係となるように設定されているので、各支持脚３にて床パネル１の側方への位置ズレを相互に干渉させることができ、つまり床パネル１を側方に位置ズレさせずその配置位置で上下に移動可能にできるのであり、しかして隣接する床パネル１への干渉を防止できるのであって安定感ある二重床構造を得ることができる。
【０００７】
また、請求項２に係る二重床構造にあっては、請求項１において、各床パネル１の四隅の角端部１ａにそれぞれ支持脚３を設け、各支持脚３の傾斜状下面４ａの傾斜状上面５ａへの対向方向における水平成分方向ａが、各床パネル１を中央で２分したときに一方側に位置する支持脚３ａと他方側に位置する支持脚３ｂとの間で対向するように設定されて成ることを特徴とする。
【０００８】
これによると、床パネル１を有効に支持するように各床パネル１の四隅の角端部１ａにそれぞれ支持脚３を設けた場合には、隣接する床パネル１の角端部１ａ同士で支持脚３も隣接して位置することとなるが、各支持脚３の傾斜状下面４ａの傾斜状上面５ａへの対向方向における水平成分方向ａが、各床パネル１を中央で２分したときに一方側に位置する支持脚３ａと他方側に位置する支持脚３ｂとの間で対向するように設定されているので、下脚部５は平面視で床パネル１の外方へ飛び出すように移動することはなく、つまり上記隣接する床パネル１間で隣接する支持脚３の下脚部５同士が干渉することを防止できて安定感ある二重床構造を得ることができる。
【０００９】
また、請求項３に係る二重床構造にあっては、請求項１または２において、床スラブ２上に載設したレール材８に、支持脚３の下脚部５が、上方に抜け止めされた状態で且つローラ７を介して転動可能に収納されて成ることを特徴とする。これによると、支持脚３の下脚部５をレール材８を介して床スラブ２上に確実に載置させることができ、安定感ある二重床構造を得ることができる。
【発明の効果】
【００１０】
本発明にあっては、上階の振動の下階への伝播を大幅に防止でき、且つ、安定感ある二重床構造を得ることができる、という利点を有する。
【発明を実施するための最良の形態】
【００１１】
以下、本発明を添付図面に示す実施形態に基いて説明する。
【００１２】
本例の二重床は、図１（ａ）のように、床スラブ２の上方に支持脚３を介して複数の矩形状の床パネル１を並べるようにして敷き詰め、これら床パネル１上に床材９を載設することで構成されている。床パネル１は、図２のように、床下地材となる矩形状の面板１０を有し、この面板１０の下面の四隅部から床スラブ２上に載置させる支持脚３がそれぞれ垂設されている。支持脚３は面板１０にかかる荷重を支える部位であるからたとえば平面視で面板１０の中央から等間隔となるようにバランス良く配置される。本例では面板１０の端部が支持脚３との関係で片持ち形状にならないように、支持脚３が面板１０の四隅の角端部１ａに設けられている。支持脚３は、面板１０から垂設されて傾斜状下面４ａを有した上脚部４と、下端にローラ７が配設されて傾斜状上面５ａを有した下脚部５とを有し、対向させた上脚部４の傾斜状下面４ａと下脚部５の傾斜状上面５ａとを弾性材６で連結することで構成されている。ここで、弾性材６はたとえばゴム製であり、後述のように、上脚部４から下脚部５に伝播する床パネル１の振動を吸収させる防振材として機能もするが、主に支持脚３の形状を変化させたり復帰させたりする機能を担う。また、ローラ７は下脚部５から垂設された縦軸部１１の下端に回転自在に横架された横軸部１２に装着され、少なくとも上脚部４の傾斜状下面４ａの下脚部５の傾斜状上面５ａへの対向方向における水平成分方向ａに転動可能にされている。また、上脚部４の傾斜状下面４ａの下り勾配θ１と下脚部５の傾斜状上面５ａの上り勾配θ２とは略同角度に形成されており、本例では約４５°に形成されている。
【００１３】
この床パネル１を床スラブ２の上方に配置したときに、床パネル１の上を人が歩く等して床パネル１に振動が発生した場合、床パネル１の振動は支持脚３の上脚部４に衝撃的な垂直荷重としてかかる（矢印Ａ）。この支持脚３の上脚部４に衝撃的な垂直荷重としてかかる振動は、対向する上脚部４の傾斜状下面４ａと下脚部５の傾斜状上面５ａとの間で、弾性材６によっていくらか吸収された上で下脚部５に対して、傾斜状下面４ａの傾斜状上面５ａへの対向方向における水平成分方向ａへの衝撃的な横荷重として伝わる。そして、この下脚部５にかかった衝撃的な横荷重は、矢印Ｂのように下脚部５がローラ７によって床スラブ２上を移動することで緩衝されることとなる。つまり、床パネル１の振動は床スラブ２に到達する前に支持脚３で大幅に緩衝させることができるのであって、上階の振動が下階に伝播されることを大幅に防止できるようになっている。
【００１４】
また、一の床パネル１に設けた複数の支持脚３の間では、傾斜状下面４ａと傾斜状上面５ａとの対向方向が所定の位置関係にあるようにされている。すなわち、各支持脚３の傾斜状下面４ａの傾斜状上面５ａへの対向方向における水平成分方向ａが、床パネル１を中央で２分したときに一方側に位置する支持脚３ａと他方側に位置する支持脚３ｂとの間で対称の関係となるように設定されている。上記のように支持脚３の下脚部５が横方向に移動する際には、上脚部４の傾斜状下面４ａが下脚部５の傾斜状上面５ａを滑り落ちるように摺動することとなって、床パネル１が側方に位置ズレを発生させる恐れもあるが、上記のように各支持脚３の傾斜状下面４ａの傾斜状上面５ａへの対向方向における水平成分方向ａが、各床パネル１を中央で２分したときに一方側に位置する支持脚３ａと他方側に位置する支持脚３ｂとの間で対称の関係となるように設定されているので、各支持脚３の下脚部５の移動方向が床パネル１の中央を境に対称となり（たとえば矢印Ｂ１、矢印Ｂ２）、つまり各支持脚３にて床パネル１の側方への位置ズレを相互に干渉させることができるのであり、しかして床パネル１は側方に位置ズレせずにその配置位置で上下に移動可能になるのであり、したがって隣接する床パネル１への干渉を防止できるのであって安定感ある二重床構造を得ることが可能にされているのである。
【００１５】
具体的に、本例では、一の床パネル１に設けた各支持脚３の傾斜状下面４ａの傾斜状上面５ａへの対向方向における水平成分方向ａは、各床パネル１を中央で２分したときに一方側に位置する支持脚３ａと他方側に位置する支持脚３ｂとの間で対向するように設定されている。しかして、床パネル１の振動により床スラブ２上を滑るようになる各下脚部５にあっては、床パネル１を中央で２分したときに一方側に位置する支持脚３ａの下脚部５は床パネル１の他方側に向けて床スラブ２上を滑るようになり（矢印Ｂ１）、床パネル１を中央で２分したときに一方側に位置する支持脚３ａの下脚部５は床パネル１の他方側に向けて床スラブ２上を滑るようになっている（矢印Ｂ２）。つまり、各支持脚３の下脚部５は床パネル１の大略内方に向けて床スラブ２上を移動するようになっている。
【００１６】
上記のように本例の支持脚３は床パネル１の四隅の角端部１ａに設けられているから、図１（ｂ）のように、隣接する床パネル１の角端部１ａ同士で支持脚３も隣接して位置することとなるが、上述のように各支持脚３の下脚部５は床パネル１の大略内方に向けて床スラブ２上を移動するようになっているので、下脚部５は平面視で床パネル１の外方へ飛び出すように床スラブ２上を移動することはなく、つまり上記隣接する床パネル１間で隣接する支持脚３の下脚部５同士が干渉することが防止され、安定感ある二重床構造が確保されているのである。
【００１７】
ところで、本例では支持脚３は、図４のように床スラブ２上に載設したレール材８に、下端のローラ７を上方に抜け止めさせた状態で且つ走行自在にして収納させた上で、床スラブ２上に載置される。つまり、本例の二重床構造は、図１や図３のように床パネル１の支持脚３をレール材８を介して床スラブ２上に載置させている。ここで、レール材８は、底片１３の幅方向の両端からそれぞれ縦片１４を立設し、各縦片１４の上端からリップ片１５を縦片１４の対向方向に突出させ、各リップ片１５の突出先端の間に隙間Ｓを形成したような、断面リップ付きコ字形状の長尺のリップ片付きレール材である。詳しくは、レール材８は、その長さ方向を支持脚３の傾斜状下面４ａの傾斜状上面５ａへの対向方向における水平成分方向ａに一致させるようにして、床スラブ２上に載置した底片１３を釘やビス等の固着具１６によって床スラブ２上に固定させることで、床スラブ２上に配置されるのであり、このレール材８にローラ７を収納した状態では、リップ片１５間の隙間Ｓに縦軸部１１が挿入されてローラ７の下端が底片１３上に転動すると共にローラ７の上端がリップ片１５の下面に転接された状態となっている。このようにローラ７の上端がリップ片１５の下面に転接されたことで、ローラ７に対してレール材８からの上方への抜け止めが施されるのは勿論のこと、ローラ７がレール材８内部で跳ねることも防止されており、支持脚３の下脚部５をレール材８を介して床スラブ２上に確実に載置させて安定感ある二重床構造の確保が図られている。
【００１８】
更に言うと、本例では、一の床パネル１の各支持脚３の傾斜状下面４ａの傾斜状上面５ａへの対向方向における水平成分方向ａが、床パネル１を中央で２分したときに一方側に位置する支持脚３ａと他方側に位置する支持脚３ｂとの間で対向するようになっているので、図１（ａ）のように、一本の長尺のレール材８を用いて、一の床パネル１における対向する一方側の支持脚３ａと他方側の支持脚３ｂとは勿論のこと、上記水平成分方向ａと同方向に隣接する床パネル１における対向する一方側の支持脚３ａと他方側の支持脚３ｂも、同様に収納できる。つまり、床パネル１をレール材８を介して床スラブ２上に配置することによると、複数の床パネル１の位置決め配置を簡単に行わせ得る、という利点も有しているのである。
【図面の簡単な説明】
【００１９】
【図１】本発明の実施の形態の二重床であり、（ａ）は断面斜視図であり、（ｂ）は（ａ）のＣ部分の側面図である。
【図２】同上の二重床に用いる床パネルであり、（ａ）は平面図であり、（ｂ）は右側面図であり、（ｃ）は下面図である。
【図３】同上の二重床の要部であり、（ａ）は側面図であり、（ｂ）は（ａ）の右側面図であり、（ｃ）は要部の拡大図である。
【図４】同上の二重床の施工を説明する説明図である。
【図５】従来技術の例の二重床の側断面図である。
【符号の説明】
【００２０】
１  床パネル
１ａ  角端部
２  床スラブ
３  支持脚
３ａ  一方側の支持脚
３ｂ  他方側の支持脚
４  上脚部
４ａ  傾斜状下面
５  下脚部
５ａ  傾斜状上面
６  弾性材
７  ローラ
８  レール材
【図１】
2008169559.tif 000003
【図２】
2008169559.tif 000004
【図３】
2008169559.tif 000005
【図４】
2008169559.tif 000006
【図５】
2008169559.tif 000007